(57)【要約】【課題】効果的でより効率の良い広告配信を実現すること。【解決手段】広告主の商品又はサービスを評価するための評価用ダイアログを、広告主端末からの指示を受けて生成する評価用ダイアログ生成手段と、生成された前記評価用ダイアログを記憶する記憶手段と、ユーザの通信端末から広告主の特定を受け付け、特定された前記広告主の前記評価用ダイアログを前記記憶手段から読み出し、前記ユーザの通信端末に送信する評価用ダイアログ送信手段と、前記評価用ダイアログに対して入力されたユーザのコメントを、前記ユーザの通信端末から受信する受信手段と、前記受信手段において受信した前記ユーザのコメントに基づいて、特定された前記広告主の広告を生成する広告生成手段と、前記ユーザが参加するソーシャルネットワーキングサービスのサイトに、前記広告生成手段が生成した前記広告を送信する広告送信手段と、を含むことを特徴とする。【選択図】  図１
2012089009.tif 000002
【特許請求の範囲】
【請求項１】
広告主の商品又はサービスを評価するための評価用ダイアログを、広告主端末からの指示を受けて生成する評価用ダイアログ生成手段と、
生成された前記評価用ダイアログを記憶する記憶手段と、
ユーザの通信端末から広告主の特定を受け付け、特定された前記広告主の前記評価用ダイアログを前記記憶手段から読み出し、前記ユーザの通信端末に送信する評価用ダイアログ送信手段と、
前記評価用ダイアログに対して入力されたユーザのコメントを、前記ユーザの通信端末から受信する受信手段と、
前記受信手段において受信した前記ユーザのコメントに基づいて、特定された前記広告主の広告を生成する広告生成手段と、
前記ユーザが参加するソーシャルネットワーキングサービスのサイトに、前記広告生成手段が生成した前記広告を送信する広告送信手段と、
を含むことを特徴とする情報処理システム。
【請求項２】
前記受信手段は、前記ユーザの通信端末の位置情報を受信し、前記評価用ダイアログ送信手段は、前記ユーザの通信端末の位置情報に関連する広告主の評価用ダイアログを前記記憶手段から読み出し、読み出した前記評価用ダイアログを前記ユーザの通信端末に送信することを特徴とする請求項１に記載の情報処理システム。
【請求項３】
前記広告生成手段は、前記受信手段において受信したユーザの前記コメントそのものを含む広告を生成することを特徴とする請求項１又は２に記載の情報処理システム。
【請求項４】
前記評価用ダイアログ生成手段は、前記広告主が特定した商品又はサービスについて、広告主端末からの指示を受けて生成することを特徴とする請求項１、２又は３のいずれか１項に記載の情報処理システム。
【請求項５】
前記広告送信手段は、前記ユーザが複数のソーシャルネットワーキングサービスに参加している場合に、それぞれのソーシャルネットワーキングサービスのサイトに、前記広告生成手段が生成した前記広告を送信することを特徴とする請求項１乃至４のいずれか１項に記載の情報処理システム。
【請求項６】
広告主の商品又はサービスを評価するための評価用ダイアログを、広告主端末からの指示を受けて生成するステップと、
ユーザの通信端末から広告主の特定を受け付けるステップと、
特定された前記広告主の前記評価用ダイアログを前記ユーザの通信端末に送信するステップと、
前記評価用ダイアログに対して入力されたユーザのコメントを、前記ユーザの通信端末から受信するステップと、
受信した前記ユーザのコメントに基づいて、特定を受け付けた前記広告主の広告を生成するステップと、
前記ユーザが参加するソーシャルネットワーキングサービスのサイトに、前記広告を送信するステップと、
を含むことを特徴とする情報処理方法。
【請求項７】
広告主の商品又はサービスを評価するための評価用ダイアログを、広告主端末からの指示を受けて生成するステップと、
ユーザの通信端末から広告主の特定を受け付けるステップと、
特定された前記広告主の前記評価用ダイアログを前記ユーザの通信端末に送信するステップと、
前記評価用ダイアログに対して入力されたユーザのコメントを、前記ユーザの通信端末から受信するステップと、
受信した前記ユーザのコメントに基づいて、特定を受け付けた前記広告主の広告を生成するステップと、
前記ユーザが参加するソーシャルネットワーキングサービスのサイトに、前記広告を送信するステップと、
をコンピュータに実行させることを特徴とする情報処理プログラム。
【請求項８】
請求項１乃至５のいずれか１項に記載の情報処理システムと通信を行なう通信端末であって、
評価を行なおうとする商品又はサービスに関連する広告主を特定する特定手段と、
前記評価用ダイアログ送信手段から、前記評価用ダイアログを受信する受信手段と、
前記受信手段で受信した前記評価用ダイアログにコメントを入力する入力手段と、
前記ユーザが参加するソーシャルネットワーキングサービスのサイトを、前記情報処理システムに登録する登録手段と、
を含むことを特徴とする通信端末。
【請求項９】
請求項１乃至５のいずれか１項に記載の情報処理システムと通信を行なう通信端末の制御方法であって、
評価を行なおうとする商品又はサービスに関連する広告主を特定する特定ステップと、
前記情報処理システムから、前記広告主の前記評価用ダイアログを受信する受信ステップと、
前記受信ステップで受信した前記評価用ダイアログにコメントを入力して、前記情報処理システムに送信する送信ステップと、
を含むことを特徴とする通信端末の制御方法。
【請求項１０】
請求項１乃至５のいずれか１項に記載の情報処理システムと通信を行なう通信端末の制御プログラムであって、
評価を行なおうとする商品又はサービスに関連する広告主を特定する特定ステップと、
前記情報処理システムから、前記広告主の前記評価用ダイアログを受信する受信ステップと、
前記受信ステップで受信した前記評価用ダイアログにコメントを入力して、前記情報処理システムに送信する送信ステップと、
をコンピュータに実行させることを特徴とする通信端末の制御プログラム。
【発明の詳細な説明】
【技術分野】
【０００１】
本発明は、ソーシャルネットワーキングサービス（以下ＳＮＳと称する）を利用して広告を配信する技術に関する。
【背景技術】
【０００２】
特許文献１には、ユーザの属性データに基づいて、広告データを絞り込んでユーザ端末に配信するＳＮＳ用の広告配信システムが開示されている。
【先行技術文献】
【特許文献】
【０００３】
【特許文献１】特開2008-130004号公報
【発明の概要】
【発明が解決しようとする課題】
【０００４】
しかしながら、上述の特許文献１に記載の発明では、予め登録されたユーザの属性に基づいて、そのユーザに配信する広告データを選択しているだけであり、ＳＮＳの複数の参加者の興味を引く広告を生成しようとするものではなかった。つまり、広告の効果が十分ではなかった。
【０００５】
本発明の目的は、上述の課題を解決する技術を提供することにある。
【課題を解決するための手段】
【０００６】
上記目的を達成するため、本発明に係るシステムは、
広告主の商品又はサービスを評価するための評価用ダイアログを、広告主端末からの指示を受けて生成する評価用ダイアログ生成手段と、
生成された前記評価用ダイアログを記憶する記憶手段と、
ユーザの通信端末から広告主の特定を受け付け、特定された前記広告主の前記評価用ダイアログを前記記憶手段から読み出し、前記ユーザの通信端末に送信する評価用ダイアログ送信手段と、
前記評価用ダイアログに対して入力されたユーザのコメントを、前記ユーザの通信端末から受信する受信手段と、
前記受信手段において受信した前記ユーザのコメントに基づいて、特定された前記広告主の広告を生成する広告生成手段と、
前記ユーザが参加するソーシャルネットワーキングサービスのサイトに、前記広告生成手段が生成した前記広告を送信する広告送信手段と、
を含むことを特徴とする。
【０００７】
上記目的を達成するため、本発明に係る方法は、
広告主の商品又はサービスを評価するための評価用ダイアログを、広告主端末からの指示を受けて生成するステップと、
ユーザの通信端末から広告主の特定を受け付けるステップと、
特定された前記広告主の前記評価用ダイアログを前記ユーザの通信端末に送信するステップと、
前記評価用ダイアログに対して入力されたユーザのコメントを、前記ユーザの通信端末から受信するステップと、
受信した前記ユーザのコメントに基づいて、特定を受け付けた前記広告主の広告を生成するステップと、
前記ユーザが参加するソーシャルネットワーキングサービスのサイトに、前記広告を送信するステップと、
を含むことを特徴とする。
【０００８】
上記目的を達成するため、本発明に係るプログラムは、
広告主の商品又はサービスを評価するための評価用ダイアログを、広告主端末からの指示を受けて生成するステップと、
ユーザの通信端末から広告主の特定を受け付けるステップと、
特定された前記広告主の前記評価用ダイアログを前記ユーザの通信端末に送信するステップと、
前記評価用ダイアログに対して入力されたユーザのコメントを、前記ユーザの通信端末から受信するステップと、
受信した前記ユーザのコメントに基づいて、特定を受け付けた前記広告主の広告を生成するステップと、
前記ユーザが参加するソーシャルネットワーキングサービスのサイトに、前記広告を送信するステップと、
をコンピュータに実行させることを特徴とする。
【０００９】
上記目的を達成するため、本発明に係る通信端末は、
上記情報処理システムと通信を行なう通信端末であって、
評価を行なおうとする商品又はサービスに関連する広告主を特定する特定手段と、
前記評価用ダイアログ送信手段から、前記評価用ダイアログを受信する受信手段と、
前記受信手段で受信した前記評価用ダイアログにコメントを入力する入力手段と、
前記ユーザが参加するソーシャルネットワーキングサービスのサイトを、前記情報処理システムに登録する登録手段と、
を含むことを特徴とする。
【００１０】
上記目的を達成するため、本発明に係る通信端末の制御方法は、
上記情報処理システムと通信を行なう通信端末の制御方法であって、
評価を行なおうとする商品又はサービスに関連する広告主を特定する特定ステップと、
前記情報処理システムから、前記広告主の前記評価用ダイアログを受信する受信ステップと、
前記受信ステップで受信した前記評価用ダイアログにコメントを入力して、前記情報処理システムに送信する送信ステップと、
を含むことを特徴とする。
【００１１】
上記目的を達成するため、本発明に係る通信端末の制御プログラムは、
上記情報処理システムと通信を行なう通信端末の制御プログラムであって、
評価を行なおうとする商品又はサービスに関連する広告主を特定する特定ステップと、
前記情報処理システムから、前記広告主の前記評価用ダイアログを受信する受信ステップと、
前記受信ステップで受信した前記評価用ダイアログにコメントを入力して、前記情報処理システムに送信する送信ステップと、
をコンピュータに実行させることを特徴とする。
【発明の効果】
【００１２】
本発明によれば、効果的でより効率の良い広告配信を実現できる。
【図面の簡単な説明】
【００１３】
【図１】本発明の第１実施形態に係る情報処理システムの構成を示すブロック図である。
【図２】本発明の第２実施形態に係る情報処理システムの構成を示すブロック図である。
【図３】本発明の第２実施形態に係る評価用ダイアログの構成を示す図である。
【図４】本発明の第２実施形態に係る広告配信システムを利用するための登録画面を示す図である。
【図５】本発明の第２実施形態に係る広告配信システムを利用するための登録画面を示す図である。
【図６】本発明の第２実施形態に係る広告配信システムの評価用ダイアログを示す図である。
【図７】本発明の第２実施形態に係る広告配信システムの評価用ダイアログを示す図である。
【図８】本発明の第２実施形態に係る広告配信システムにより生成された広告を示す図である。
【図９】本発明の第２実施形態に係る広告配信システムにより生成された広告を示す図である。
【図１０】本発明の第２実施形態に係る広告配信システムの処理の流れを示すフローチャートである。
【図１１】本発明の第２実施形態に係る広告配信システムの処理の流れを示すフローチャートである。
【図１２】本発明の第２実施形態に係る広告配信システムと、広告主端末と、ユーザの通信端末と、ＳＮＳのサーバとのやり取りを示すシーケンス図である。
【発明を実施するための形態】
【００１４】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１５】
(第１実施形態)
図１は、本発明の第１実施形態に係る情報処理システム１００の構成を示すブロック図である。本実施形態に係る情報処理システム１００は、評価用ダイアログ生成部１０１と、記憶部１０２と、評価用ダイアログ送信部１０３と、受信部１０４と、広告生成部１０５と、広告送信部１０６とを含む。
【００１６】
これらのうち、評価用ダイアログ生成部１０１は、広告主端末１１０からの指示を受け付け、商品、又はサービスを評価するための評価用ダイアログ１７０を生成する。記憶部１０２は、生成した評価用ダイアログ１７０を記憶する。評価用ダイアログ送信部１０３は、ユーザの通信端末１２０から特定を受け付けた広告主の評価用ダイアログ１７０を記憶部１０２から読み出して、ユーザの通信端末１２０に送信する。受信部１０４は、評価用ダイアログ１７０にユーザが入力したコメントをユーザの通信端末１２０から受信し、広告生成部１０５は、ユーザのコメントに基づいて広告を生成する。そして、広告送信部１０６は、ユーザが参加するソーシャルネットワーキングサービス（以下ＳＮＳと称する）のサーバ１３０のユーザサイトに、生成した広告を送信する。送信された広告は、ユーザの友人、又は、友人から紹介された友人などのユーザと関係を有する他のユーザや、ユーザが参加するコミュニティ１４０の各ユーザにより閲覧される。
【００１７】
以上の構成及び動作により、効果的でより効率の良い広告配信を実現できる。
【００１８】
（第２実施形態）
本発明の第２実施形態に係る広告配信システム２００について、図２を用いて説明する。図２は、本発明の第２実施形態に係る広告配信システム２００の構成を示すブロック図である。
【００１９】
広告配信システム２００は、評価用ダイアログ生成部２０１と、記憶部２０２と、評価用ダイアログ送信部２０３と、受信部２０４と、広告生成部２０５と、広告送信部２０６とを含む。また、広告配信システム２００は、演算処理部２０７と、広告主データベース２０８と、ユーザデータベース２０９とを含む。また、図２には、広告主端末２１０と、ユーザの通信端末２２０と、ＳＮＳサーバ２３０乃至２３３と、ユーザと関係を有する他のユーザ２４０乃至２４３と、ＧＰＳ衛星２５０と、２次元バーコード２６０と、評価用ダイアログ２７０とを示す。
【００２０】
評価用ダイアログ生成部２０１は、広告主端末２１０からの指示を受け付けて評価用ダイアログ２７０を生成する。記憶部２０２は、生成された評価用ダイアログ２７０を記憶する。
ユーザの通信端末２２０は、広告主を特定するための２次元バーコード２６０を読み込むために用いられ、さらに、特定した広告主の評価用ダイアログ２７０の送信を、受信部２０４に要求するために用いられる。また、ユーザの通信端末２２０は、広告配信システム２００の利用を開始するためのユーザ登録を行なう際に用いられる。具体的には、ユーザの通信端末２２０は、登録事項の入力表示を取得するために、２次元バーコード２６０を読み込むために用いられる。
受信部２０４は、ユーザの通信端末２２０から広告主の特定を受け付ける。評価用ダイアログ送信部２０３は、記憶部２０２に記憶された複数の評価用ダイアログ２７０のうち、受信部２０４が特定を受け付けた広告主の評価用ダイアログ２７０を選択して、ユーザの通信端末２２０に送信する。
また、ユーザの通信端末２２０は、２次元バーコード２６０を読み込むことにより、若しくは、ＧＰＳ衛星２５０より、現在の位置情報を取得する。受信部２０４は、ユーザの通信端末２２０から、ユーザの通信端末２２０の現在の位置情報を取得する。そして、評価用ダイアログ送信部２０３は、広告主データベース２０８に登録された広告主のうち、取得したユーザの通信端末２２０の現在の位置情報に関連する広告主を少なくとも１つ選択する。評価用ダイアログ送信部２０３は、選択した広告主の評価用ダイアログ２７０を、記憶部２０２から読み出して、ユーザの通信端末２２０に送信する。
【００２１】
広告主の評価用ダイアログ２７０に広告主の商品、又はサービスに対するコメントがユーザにより入力されると、ユーザの通信端末２２０は、受信部２０４にコメントを送信する。受信部２０４は、入力されたユーザのコメントを受け付け、広告生成部２０５は、受け付けたコメントに基づいて広告を生成する。広告送信部２０６は、ユーザが選択した複数のＳＮＳのユーザサイトを管理するＳＮＳサーバ２３０乃至２３３のユーザサイトに対して、生成された広告を一斉に送信する。
【００２２】
図３は、評価用ダイアログ２７０を示す図である。評価用ダイアログ２７０には、広告主名、電話番号、住所、ホームページのＵＲＬ、地図情報のように広告主に関して予め定められた情報を入力する項目３０１が設定されている。また、評価用ダイアログ２７０には、ユーザ名、広告主のサービスを受けた日時、サービスを受けた場所、スタッフの対応、サービスへの満足度のようにサービスに関して予め定められた情報を入力する項目３０３が設定されている。さらに、評価用ダイアログ２７０には、広告主において自由に入力できる項目３０２と、ユーザのコメントの入力を期待する商品、又はサービスに関する項目３０４と、写真投稿欄３０５とが設定されている。なお、評価用ダイアログ２７０の項目３０１乃至３０４、及び、写真投稿欄３０５の構成及び内容は、広告主が自由に定められるものであり、３０１乃至３０５に限られるものではない。
【００２３】
広告生成部２０５は、評価用ダイアログ２７０にユーザが入力したコメントに基づき広告を生成し、又は、ユーザが入力したコメントそのものを含む広告を生成する。
【００２４】
図４は、広告配信システム２００を利用するためのアプリケーション４００に、ユーザの通信端末２２０を用いてユーザ登録をするところを示す図である。
【００２５】
アプリケーション４００は、複数のＳＮＳのＳＮＳｉ乃至ＳＮＳｉｉｉをユーザの通信端末２２０の表示部に表示し、ユーザが参加するＳＮＳごとにユーザ名、及びパスワードの入力を要求するダイアログ４０１を表示する。アプリケーション４００は、ユーザがＳＮＳｉを選択すると、ＳＮＳｉに登録したユーザ名、及びパスワードを入力するダイアログ４０２を表示する。演算処理部２０７は、ユーザ名、及びパスワードが入力されると、ＳＮＳｉのサーバに対して、ユーザが登録されているか確認要求を行ない、確認できると、ユーザデータベース２０９にユーザを登録する。
【００２６】
図５は、広告配信システム２００を利用するために、広告主が広告主端末２１０を用いて広告主登録をするところを示す図である。
【００２７】
広告主端末２１０に表示された入力ダイアログ５０１は、広告主にユーザ名・パスワードの入力を要求する。入力項目が入力されると、広告主は、広告配信システム２００を利用できる広告主として、広告主データベース２０８に登録される。
【００２８】
図６は、評価用ダイアログ２７０の入力項目を示す図である。評価用ダイアログ生成部２０１は、予め定められた入力項目だけでなく、広告主がユーザからのコメントの入力を要求する商品、又はサービスに関する入力項目を、評価用ダイアログ２７０に設けることを受け付ける。
【００２９】
図７は、ユーザの通信端末２２０の表示部に表示された評価用ダイアログ７００の内容を示す図である。評価用ダイアログ７００には、広告主の名称を表示する項目７１０と、広告主のサービスに対するユーザの評価項目７１１、及び口コミの入力を要求する項目７１２と、写真の投稿欄７１３とが表示されている。評価項目７１１は、５段階の評価基準で設定されている。口コミ項目７１２は、ユーザが感想等を入力できるように設定されている。写真の投稿欄７１３には、ユーザが撮影した写真を投稿することができるように設定されている。評価用ダイアログ７００は、７１１乃至７１３の各項目についてユーザが入力すると、ユーザの通信端末から受信部２０４に送信される。
【００３０】
図８は、ＳＮＳのユーザサイトに表示された、ユーザのコメントを含む広告８００を示す図である。この広告８００の項目８１０は、ＳＮＳにおけるユーザＡのサイトであることを示す。評価項目８１１は、広告主であるスイーツ王国が提供するサービスに対するユーザＡの評価を表示する項目であり、図７の評価項目７１１と同様である。口コミ項目８１２は、広告主が提供するサービスに対するユーザの感想を表示する項目であり、図７の口コミ項目７１２と同様である。写真投稿欄８１３は、広告主が提供する食物等の写真の投稿欄であり、図７の写真投稿欄７１３と同様である。友達の項目８１４は、ユーザの友人や、友人から紹介された友人など、ユーザと関係を有する他のユーザのグループ、又は、ユーザが参加するコミュニティを表示する項目である。友達の項目８１４に表示される他のユーザＢ乃至Ｇは、ユーザＡが投稿した評価等を、自由に閲覧することができる。
【００３１】
図９は、ＳＮＳにおけるユーザＢのサイトにおいて、ユーザＢがＵＲＬ９１５をクリックすると、広告主のホームページ９２０を閲覧できることを示す図である。広告主のホームページ９２０は、ユーザＡと関係を有する、ユーザＢにより閲覧されることになり、広告主からユーザＢに対して直接広告を配信する必要はない。
【００３２】
図１０は、広告配信システム２００の処理の流れを示すフローチャートである。ステップＳ１００１において、広告配信システム２００の演算処理部２０７は、広告主端末２１０から広告主としての登録要求を受け付け、ステップＳ１００３において広告主データベース２０８に広告主を登録する。次に、ステップＳ１００５において、評価用ダイアログ生成部２０１は、広告主から評価用ダイアログ２７０の生成の指示を受け付けると、ステップＳ１００７において、評価用ダイアログ２７０を生成する。ステップＳ１００９において、評価用ダイアログ送信部２０３は、ユーザの通信端末２２０から広告主の特定を受け付けると、ステップＳ１０１１において記憶部２０２より広告主の評価用ダイアログ２７０を読み出す。そして、ステップＳ１０１３において、評価用ダイアログ送信部２０３は、読み出した広告主の評価用ダイアログ２７０をユーザの通信端末２２０に送信する。ステップＳ１０１５において、受信部２０４は、ユーザが入力したコメントをユーザの通信端末２２０から受け付ける。ステップＳ１０１７において、広告生成部２０５は、ユーザのコメントに基づいて広告を生成し、ステップＳ１０１９において、広告送信部２０６は、生成した広告をＳＮＳサーバ２３０のユーザサイトに送信する。
【００３３】
図１１は、広告配信システム２００の処理の流れを示すフローチャートである。ステップＳ１１０１において、広告配信システム２００の演算処理部２０７は、ユーザの通信端末２２０からユーザ登録の要求を受け付ける。ステップＳ１１０３において、演算処理部２０７は、ＳＮＳサーバ２３０に対して、ユーザがＳＮＳに登録されていることの確認を要求する。演算処理部２０７は、ステップＳ１１０５において、ユーザがＳＮＳに登録されていないことを確認すると、ステップＳ１１０７において、ユーザ登録を行なわない。一方、演算処理部２０７は、ステップＳ１１０５において、ユーザがＳＮＳに登録されていることを確認すると、ステップＳ１１０９において、ユーザデータベース２０９にユーザを登録する。ステップＳ１００９以下の広告配信システムの処理は、図１０のステップＳ１００９以下と同様であるので、省略する。
【００３４】
図１２は、広告配信システム２００と、広告主端末２１０と、ユーザの通信端末２２０と、ＳＮＳサーバ２３０とのやり取りを示すシーケンス図である。
【００３５】
広告配信システム２００の演算処理部２０７は、ステップＳ１２０１において、広告主端末２１０から登録要求を受け付けて、広告主データベース２０８に広告主を登録する。一方、ステップＳ１２０２において、演算処理部２０７は、ユーザの通信端末２２０から登録要求を受け付ける。演算処理部２０７は、ステップＳ１２０３において、ＳＮＳサーバ２３０に、ユーザがＳＮＳに登録されているか確認要求を行ない、ステップＳ１２０４において、ＳＮＳサーバ２３０により確認が行なわれると、ユーザデータベース２０９にユーザを登録する。
【００３６】
ステップＳ１２０５において、評価用ダイアログ生成部２０１は、広告主端末２１０からの指示を受け付けて評価用ダイアログ２７０を生成し、記憶部２０２は、生成した評価用ダイアログ２７０を記憶する。ステップＳ１２０６において、評価用ダイアログ送信部２０３は、ユーザの通信端末２２０から広告主の特定を受け付けると、ステップＳ１２０７において、特定された広告主の評価用ダイアログ２７０をユーザの通信端末２２０に送信する。ステップＳ１２０８において、受信部２０４は、評価用ダイアログ２７０に入力されたユーザのコメントを受信し、広告生成部２０５は、ユーザのコメントに基づいて広告を生成する。ステップＳ１２０９において、広告送信部２０６は、生成した広告をＳＮＳサーバ２３０のユーザサイトに送信する。送信された広告はユーザサイトに表示され、ユーザと関係を有する他のユーザにより閲覧される。
【００３７】
以上の構成及び動作により、本実施形態に係る広告配信システム２００により生成され、ＳＮＳのサーバに送信された広告は、ユーザと関係を有する他のユーザ２４０乃至２４３により閲覧される。このことにより、予め登録されたユーザの属性に基づいてユーザに配信する広告を選択する必要がなく、また、興味を有するユーザにのみ広告を配信するのと同様の効果を得られるため、広告主にとって、効果的で効率の良い広告の配信を実現できるものである。
【００３８】
（他の実施形態）
以上、本発明の実施形態について詳述したが、それぞれの実施形態に含まれる別々の特徴を如何様に組み合わせたシステム又は装置も、本発明の範疇に含まれる。
【００３９】
また、本発明は、複数の機器から構成されるシステムに適用しても良いし、単体の装置に適用しても良い。さらに、本発明は、実施形態の機能を実現するソフトウェアが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷサーバも、本発明の範疇に含まれる。
【００４０】
［実施形態の他の表現］
上記の実施形態の一部又は全部は、以下の付記のようにも記載されうるが、以下には限られない。
（付記１）
広告主の商品又はサービスを評価するための評価用ダイアログを、広告主端末からの指示を受けて生成する評価用ダイアログ生成手段と、
生成された前記評価用ダイアログを記憶する記憶手段と、
ユーザの通信端末から広告主の特定を受け付け、特定された前記広告主の前記評価用ダイアログを前記記憶手段から読み出し、前記ユーザの通信端末に送信する評価用ダイアログ送信手段と、
前記評価用ダイアログに対して入力されたユーザのコメントを、前記ユーザの通信端末から受信する受信手段と、
前記受信手段において受信した前記ユーザのコメントに基づいて、特定された前記広告主の広告を生成する広告生成手段と、
前記ユーザが参加するソーシャルネットワーキングサービスのサイトに、前記広告生成手段が生成した前記広告を送信する広告送信手段と、
を含むことを特徴とする情報処理システム。
（付記２）
前記受信手段は、前記ユーザの通信端末の位置情報を受信し、前記評価用ダイアログ送信手段は、前記ユーザの通信端末の位置情報に関連する広告主の評価用ダイアログを前記記憶手段から読み出し、読み出した前記評価用ダイアログを前記ユーザの通信端末に送信することを特徴とする付記１に記載の情報処理システム。
（付記３）
前記広告生成手段は、前記受信手段において受信したユーザの前記コメントそのものを含む広告を生成することを特徴とする付記１又は２に記載の情報処理システム。
（付記４）
前記評価用ダイアログ生成手段は、前記広告主が特定した商品又はサービスについて、広告主端末からの指示を受けて生成することを特徴とする付記１、２又は３のいずれか１項に記載の情報処理システム。
（付記５）
前記広告送信手段は、前記ユーザが複数のソーシャルネットワーキングサービスに参加している場合に、それぞれのソーシャルネットワーキングサービスのサイトに、前記広告生成手段が生成した前記広告を送信することを特徴とする付記１乃至４のいずれか１項に記載の情報処理システム。
（付記６）
広告主の商品又はサービスを評価するための評価用ダイアログを、広告主端末からの指示を受けて生成するステップと、
ユーザの通信端末から広告主の特定を受け付けるステップと、
特定された前記広告主の前記評価用ダイアログを前記ユーザの通信端末に送信するステップと、
前記評価用ダイアログに対して入力されたユーザのコメントを、前記ユーザの通信端末から受信するステップと、
受信した前記ユーザのコメントに基づいて、特定を受け付けた前記広告主の広告を生成するステップと、
前記ユーザが参加するソーシャルネットワーキングサービスのサイトに、前記広告を送信するステップと、
を含むことを特徴とする情報処理方法。
（付記７）
広告主の商品又はサービスを評価するための評価用ダイアログを、広告主端末からの指示を受けて生成するステップと、
ユーザの通信端末から広告主の特定を受け付けるステップと、
特定された前記広告主の前記評価用ダイアログを前記ユーザの通信端末に送信するステップと、
前記評価用ダイアログに対して入力されたユーザのコメントを、前記ユーザの通信端末から受信するステップと、
受信した前記ユーザのコメントに基づいて、特定を受け付けた前記広告主の広告を生成するステップと、
前記ユーザが参加するソーシャルネットワーキングサービスのサイトに、前記広告を送信するステップと、
をコンピュータに実行させることを特徴とする情報処理プログラム。
（付記８）
付記１乃至５のいずれか１項に記載の情報処理システムと通信を行なう通信端末であって、
評価を行なおうとする商品又はサービスに関連する広告主を特定する特定手段と、
前記評価用ダイアログ送信手段から、前記評価用ダイアログを受信する受信手段と、
前記受信手段で受信した前記評価用ダイアログにコメントを入力する入力手段と、
前記ユーザが参加するソーシャルネットワーキングサービスのサイトを、前記情報処理システムに登録する登録手段と、
を含むことを特徴とする通信端末。
（付記９）
付記１乃至５のいずれか１項に記載の情報処理システムと通信を行なう通信端末の制御方法であって、
評価を行なおうとする商品又はサービスに関連する広告主を特定する特定ステップと、
前記情報処理システムから、前記広告主の前記評価用ダイアログを受信する受信ステップと、
前記受信ステップで受信した前記評価用ダイアログにコメントを入力して、前記情報処理システムに送信する送信ステップと、
を含むことを特徴とする通信端末の制御方法。
（付記１０）
付記１乃至５のいずれか１項に記載の情報処理システムと通信を行なう通信端末の制御プログラムであって、
評価を行なおうとする商品又はサービスに関連する広告主を特定する特定ステップと、
前記情報処理システムから、前記広告主の前記評価用ダイアログを受信する受信ステップと、
前記受信ステップで受信した前記評価用ダイアログにコメントを入力して、前記情報処理システムに送信する送信ステップと、
をコンピュータに実行させることを特徴とする通信端末の制御プログラム。
【図１】
2012089009.tif 000003
【図２】
2012089009.tif 000004
【図３】
2012089009.tif 000005
【図４】
2012089009.tif 000006
【図５】
2012089009.tif 000007
【図６】
2012089009.tif 000008
【図７】
2012089009.tif 000009
【図８】
2012089009.tif 000010
【図９】
2012089009.tif 000011
【図１０】
2012089009.tif 000012
【図１１】
2012089009.tif 000013
【図１２】
2012089009.tif 000014